(57)【要約】【課題】  放送電波を受信できない場合や放送音声を得ることができなかった場合、或いはアラーム音が遮られてしまう場合でも、確実にユーザに対して所定の報知を行えるようにする。【解決手段】  テレビジョンやラジオの放送音声をアラーム音に設定できる機能を備えた携帯電話端末であり、アラーム設定時間になる前に、放送受信部２３や２６の受信周波数を予め設定している放送周波数に合わせ、その放送周波数の放送信号を受信でき且つ放送信号からアラーム音として利用できる放送音声が得られるかをＣＷ検出回路５１，５３や無音検出回路５２，５４により検出する。そして制御部２０は、放送信号を受信でき且つ放送音声が得られるときには、放送音声を本体スピーカ４０から出力させ、放送信号を受信できないか若しくは受信できても放送音声が得られない（無音）ときには、メモリ３１に記憶されているアラーム音を本体スピーカ４０から出力させる。【選択図】  図１
2006197509.tif 000002
【特許請求の範囲】
【請求項１】
供給された音声信号に応じた音声を出力する音声出力手段と、
時間を計測する時間計測手段と、
使用者所望の設定時間情報を記憶する設定時間記憶手段と、
使用者所望の少なくとも一つの放送周波数の情報を記憶する放送周波数記憶手段と、
放送信号の電波を受信する放送受信手段と、
上記放送受信手段が上記放送信号電波を受信可能か否か、及び、上記放送受信手段が受信した放送信号から所定出力レベル以上の音声を出力可能か否かを検出する検出手段と、
上記時間計測手段の計測時間が上記時間情報記憶手段の設定時間になる前に、上記放送受信手段が受信する放送周波数を上記放送周波数記憶手段の放送周波数に設定し、当該放送周波数の放送信号電波を上記放送受信手段が受信可能であり且つその受信した放送信号から所定出力レベル以上の音声を出力可能であることを上記検出手段が検出した時には、上記計測時間が上記設定時間になると同時に、上記放送受信手段が受信した放送信号から再生している音声信号を上記音声出力手段へ供給し、上記放送周波数の放送信号電波を上記放送受信手段が受信できないか若しくは受信できた放送信号から所定出力レベル以上の音声を出力できないことを上記検出手段が検出した時には、上記計測時間が上記設定時間になると同時に、所定の報知音の音声信号を上記音声出力手段へ供給する制御手段とを有する
ことを特徴とする放送電波受信機能付き携帯端末。
【請求項２】
請求項１記載の放送電波受信機能付き携帯端末であって、
上記制御手段は、上記時間計測手段の計測時間が上記時間情報記憶手段の設定時間になる前に、上記放送受信手段が受信する放送周波数を上記放送周波数記憶手段に記憶されている複数の放送周波数のうち何れか一つの放送周波数に設定し、当該放送周波数の放送信号電波を上記放送受信手段が受信できないか若しくは受信できた放送信号から所定出力レベル以上の音声を出力できないことを上記検出手段が検出した時、上記放送受信手段が受信する放送周波数を上記放送周波数記憶手段に記憶されている他の放送周波数に切り替え設定することを特徴とする放送電波受信機能付き携帯端末。
【請求項３】
請求項１記載の放送電波受信機能付き携帯端末であって、
上記音声出力手段は、端末筐体上に設けられたスピーカであり、
上記制御手段は、当該スピーカからの音声出力を行わない設定がなされている時であっても、上記計測時間が上記設定時間になった時には、上記放送信号から再生された音声信号若しくは上記所定の報知音の音声信号を当該スピーカへ供給することを特徴とする放送電波受信機能付き携帯端末。
【請求項４】
請求項１記載の放送電波受信機能付き携帯端末であって、
上記検出手段は、上記放送受信手段が受信した連続波の有無により当該放送受信手段が放送信号電波を受信可能か否かを検出し、上記放送受信手段が受信した放送信号から再生している音声信号の振幅レベルにより上記所定出力レベル以上の音声を出力可能であるか否かを検出することを特徴とする放送電波受信機能付き携帯端末。
【請求項５】
請求項１記載の放送電波受信機能付き携帯端末であって、
端末筐体を振動させる振動発生手段を有し、
上記制御手段は、上記音声出力手段へ音声信号を供給するのと同時若しくはそれに代えて、上記振動発生手段から振動を発生させることを特徴とする放送電波受信機能付き携帯端末。
【請求項６】
請求項１記載の放送電波受信機能付き携帯端末であって、
所定の公衆電話回線網と接続するための通信手段を有し、
上記制御手段は、上記音声出力手段へ音声信号を供給するのと同時若しくはそれに代えて、上記通信手段から所定の電話番号に宛てて発呼を行うことを特徴とする放送電波受信機能付き携帯端末。
【請求項７】
請求項１記載の放送電波受信機能付き携帯端末であって、
バッテリの残容量を計測するバッテリ容量計測手段を有し、
上記制御手段は、上記バッテリ容量計測手段が計測しているバッテリ残容量が所定容量より少ないとき、上記放送受信手段が放送信号電波を受信可能であり且つその受信した放送信号から所定出力レベル以上の音声を出力可能であることを上記検出手段が検出していたとしても、上記計測時間が上記設定時間になると同時に、所定の報知音の音声信号を上記音声出力手段へ供給することを特徴とする放送電波受信機能付き携帯端末。
【発明の詳細な説明】
【技術分野】
【０００１】
本発明は、例えばテレビジョン放送電波やラジオ放送電波を受信して少なくとも放送音声を再生する機能を備えた携帯端末に関する。
【背景技術】
【０００２】
従来より、いわゆる目覚まし時計のアラームの代わりに、テレビジョン放送やラジオ放送の電波を受信し、その放送音声をアラームとして利用可能な機能を備えたＡＶ（Audio Visual）機器が商品化されている。
【０００３】
例えば、特開平７−１３１３７２号の公開特許公報（特許文献１）には、アラームセット時刻になったときに、予めセットされている受信局のＡＭ／ＦＭラジオ無線信号を受信し、そのＡＭ／ＦＭラジオのオーディオ信号をアラーム音声として出力する機能を有する据え置き型の無線受信機が開示されている。
【０００４】
また、特開昭５４−７９５８９号の公開特許公報（特許文献２）には、テレビジョン放送又はラジオ放送の放送音声をアラーム機能に使用可能となされ、アラームの設定時間になった時に、テレビジョン放送又はラジオ放送受信回路の同調がずれていて放送音声を出力できない状態になっている場合、別に設けられているブザー回路を動作させ、そのブザー音声をアラーム音声として出力するようなアラーム切り替え機能を備えたアラーム付音響機器が開示されている。
【０００５】
【特許文献１】特開平７−１３１３７２号公報（第１図）
【特許文献２】特開昭５４−７９５８９号公報（第１図）
【発明の開示】
【発明が解決しようとする課題】
【０００６】
ところで、近年は、テレビジョン放送やラジオ放送を受信して再生する機能を備えた携帯電話端末等も登場しつつあり、したがって、これらの携帯端末でも放送音声を目覚まし等のアラームに利用できるようになることが望まれている。
【０００７】
しかしながら、放送音声によるアラーム機能を搭載した携帯端末では、以下に述べるような様々な問題が起こる虞がある。
【０００８】
例えば、ユーザが旅行や出張等により例えば他県や他の地域等へ移動したとき、その移動先の県等では、テレビジョン放送やラジオ放送の放送周波数がユーザの居住県のものとは異なることがある。また、ユーザがその居住県でアラーム設定していた放送周波数が、当該移動先の県においては使用されていないようなこともよくあることである。
【０００９】
また例えば、ユーザが寝る前には放送電波を受信できていたとしても、ユーザが寝ている間に無意識に携帯端末の位置を変えてしまったことで放送電波を受信できなくなってしまうようなことも想定できる。一方で、例えば、携帯端末が放送電波を受信できる状態であったとしても、アラーム設定時間にその放送信号の中に音声信号が無い（つまり無音の放送になっている）こともあり得る。さらに例えば、夜は放送を行っていても早朝には放送を取りやめている放送局とは知らずに早朝にアラーム設定してしまったような場合には、当該アラーム設定時間にアラーム音声が得られないことになる。
【００１０】
したがって、これらの場合、当該携帯端末は、アラーム設定時間になってもアラーム音（つまり放送音声）を出力することができなくなり、アラームとしての機能を果たせなくなってしまう。
【００１１】
また例えば、ユーザが寝る前に携帯端末を寝間着のポケットに入れておいたような場合には、アラーム音が寝間着や布団などにより遮られて聞こえにくくなってしまうこともあり得る。
【００１２】
この場合、携帯端末は、アラーム設定時間になったときにアラーム音を出力することができているのにもかかわらず、アラームとしての十分な機能を果たせない。
【００１３】
本発明は、このような実情に鑑みて提案されたものであり、放送電波を受信してその放送音声をアラームに利用する機能を搭載した携帯端末において、例えば、アラーム設定された放送周波数が存在しない場合や、アラーム設定された放送周波数が存在していてもその放送電波を受信できなくなった場合、放送電波を受信できていたとしても放送音声を得ることができなかった場合、或いは、アラーム音が遮られてしまうような場合であっても、確実にユーザに対して所定の報知を行うことを可能にする放送電波受信機能付き携帯端末を提供することを目的とする。
【課題を解決するための手段】
【００１４】
本発明の報知機能付き携帯端末は、供給された音声信号に応じた音声を出力する音声出力手段と、時間を計測する時間計測手段と、使用者所望の設定時間情報を記憶する設定時間記憶手段と、使用者所望の少なくとも一つの放送周波数の情報を記憶する放送周波数記憶手段と、放送信号の電波を受信する放送受信手段と、放送受信手段が放送信号電波を受信可能か否か、及び、受信した放送信号から所定出力レベル以上の音声を出力可能か否かを検出する検出手段と、時間計測手段の計測時間が時間情報記憶手段の設定時間になる前に、放送受信手段が受信する放送周波数を放送周波数記憶手段の放送周波数に設定し、当該放送周波数の放送信号電波を放送受信手段が受信可能であり且つその受信した放送信号から所定出力レベル以上の音声を出力可能であることを検出手段が検出した時には、計測時間が設定時間になると同時に、放送受信手段が受信した放送信号から再生している音声信号を音声出力手段へ供給し、放送周波数の放送信号電波を放送受信手段が受信できないか若しくは受信できた放送信号から所定出力レベル以上の音声を出力できないことを検出手段が検出した時には、計測時間が設定時間になると同時に、所定の報知音の音声信号を音声出力手段へ供給する制御手段とを有することにより、上述した課題を解決する。
【００１５】
すなわち、本発明によれば、放送信号から再生した放送音声を設定時間に出力するアラーム機能を備えており、特に、放送信号電波を受信できなかったり、放送信号電波を受信できても放送音声が無音であった場合には、所定の報知音をアラーム音として出力するようにしている。
【発明の効果】
【００１６】
本発明によれば、放送電波を受信してその放送音声をアラームに利用する機能を搭載した携帯端末において、放送信号電波を受信できない場合や放送信号電波を受信できても放送音声が無音である場合には、所定の報知音をアラーム音として出力するようにしているため、例えば、予めアラーム設定された放送周波数が存在しない場合や、アラーム設定された放送周波数が存在していてもその放送電波を受信できなくなった場合、放送電波を受信できていたとしても放送音声を得ることができなかった場合、或いは、アラーム音が遮られてしまうような場合であっても、確実にユーザに対して所定のアラーム報知を行うことができる。
【発明を実施するための最良の形態】
【００１７】
以下、図面を参照しながら、本発明の放送電波受信機能付き携帯端末の一実施形態について説明する。
【００１８】
なお、本実施形態では、本発明の放送電波受信機能付き携帯端末の一例として携帯電話端末を挙げているが、勿論、ここで説明する内容はあくまで一例であり、本発明はこの例に限定されないことは言うまでもない。
【００１９】
〔携帯電話端末の概略的な内部構成〕
図１には、本実施形態の放送電波受信機能付き携帯電話端末の概略的な内部構成を示す。
【００２０】
アンテナ２２は、例えば内蔵アンテナであり通話やパケット通信のための信号電波の送受信を行う。通信回路２１は、送受信信号の周波数変換、変調と復調等を行う。
【００２１】
なお、パケット通信により送受信されるデータは、画像データや電子メール、プログラムデータ、テレビジョン放送局やラジオ放送局の放送周波数情報（放送局コード等）、その他の各種データである。
【００２２】
受信された通話音声のデータは、データラインを介して制御部２０へ送られる。制御部２０は、ＣＰＵ（中央処理装置）からなり、通話音声データを復号化し、その復号化後の音声データをデータラインを介して本体スピーカ４０へ送る。
【００２３】
本体スピーカ４０は、携帯電話端末本体に設けられている受話用のスピーカやリンガ（着信音）、音楽再生、テレビジョン放送やラジオ放送の音声再生、アラーム音出力用のスピーカであり、ディジタル／アナログ変換器と増幅器を含み、通話音声やリンガ音のデータをディジタル／アナログ変換及び増幅した後、出力する。これにより、通話音声やリンガ音が得られることになる。
【００２４】
マイクロホン４２は、送話用のマイクロホンに相当し、アナログ／ディジタル変換器と増幅器を含む。このマイクロホン４２を介して入力された通話音声信号は、増幅器により所定のレベルに増幅された後、アナログ／ディジタル変換器によりディジタル音声データに変換され、データラインを介して制御部２０へ送られて符号化された後、通信回路２１へ送られ、そこで変調、周波数変換等の各種処理を受けた後、通信アンテナ２２から送信される。
【００２５】
テレビジョンアンテナ２４は、テレビジョン放送電波を受信する。テレビジョン放送受信部２３は、テレビジョンアンテナ２４により受信されたテレビジョン放送信号を復調等する。また、本実施形態の場合、当該テレビジョン放送受信部２３は、例えばいわゆるスケルチ機能を利用してＣＷ（Continuous Wave：連続波）サーチを行うＣＷ検出回路５１を備えており、当該ＣＷ検出によってテレビジョン放送電波の有無、つまりテレビジョン放送電波を受信できているか否かを検出可能となされている。また、当該テレビジョン放送受信部２３は、テレビジョン放送信号のうちの放送音声信号について、例えば振幅検出と積分処理による音声出力レベル検出を行う無音検出回路５２を備えており、その放送音声信号の振幅検出と積分処理により、放送音声の出力レベルが所定出力レベル以上有るか否かを検出、すなわち言い換えれば、放送音声が無音になっていないかどうかを検出可能となされている。なお、本実施形態において、上記テレビジョン放送は、地上波アナログテレビジョン放送、ディジタルテレビジョン放送の何れであっても良い。特に、ディジタルテレビジョン放送の場合、放送音声が無音か否かは、そのディジタルテレビジョン放送データの復調信号から判断することができる。
【００２６】
ラジオアンテナ２７は、ラジオ放送電波を受信する。ラジオ放送受信部２６は、ラジオアンテナ２７により受信されたラジオ放送信号を復調等する。当該ラジオ放送受信部２６は、ＣＷ検出回路５３を備えており、そのＣＷ検出により、ラジオ放送電波の有無、つまりラジオ放送電波を受信できているか否かを検出可能となされている。また、当該ラジオ放送受信部２６は、ラジオ放送信号について、例えば振幅検出と積分処理による音声出力レベル検出を行う無音検出回路５４を備えており、そのラジオ放送信号の振幅検出と積分処理により、放送音声の出力レベルが所定出力レベル以上有るか否かを検出、つまり、放送音声が無音になっていないかどうかを検出可能となされている。なお、本実施形態において、上記ラジオ放送は、アナログラジオ放送、ディジタルラジオ放送の何れであっても良い。特に、ディジタルラジオ放送の場合、放送音声が無音か否かは、そのディジタルラジオ放送データの復調信号から判断することができる。
【００２７】
表示部２９は、液晶ディスプレイ等とそのディスプレイへの表示駆動回路とを含み、上記ディスプレイ上に画像やテレビジョン映像等を表示する。
【００２８】
操作部３０は、本実施形態の携帯電話端末の図示しない筐体上に設けられているテンキーや発話キー、クリアキー、終話／電源キー、マナーキー、メモキーなどの各キー、ジョグダイアル部或いは十字キー等と、それら各キー等の操作に応じた操作信号を発生する操作信号発生部とを有している。
【００２９】
時計３２は、年月日時等の情報を発生する時計機能、所定時間周期を計測するタイマ機能、ユーザ所望の時刻や周期，本実施形態にかかるアラーム時間を設定する機能等を備えている。
【００３０】
バイブレータ４５は、例えばモータの回転軸に対して偏芯した位置に錘を備えており、制御部２０による制御の元、当該モータの回転により振動を発生する。
【００３１】
ＬＥＤ（発光ダイオード）４６は、着信ＬＥＤやカメラ撮影時の補助ライト用ＬＥＤ、表示部２９のバックライト用ＬＥＤ、各キーの照明用ＬＥＤと、各ＬＥＤの駆動回路とからなる。
【００３２】
ＧＰＳ（Global Positioning System）４７は、ＧＰＳにおける測地衛星の発信する電波をＧＰＳアンテナ４８を介して受信すると共に、その受信電波に基づいて、自端末の現在位置の緯度、経度を求める。なお、ＧＰＳとは、米国国防省が打ち上げた２４個の測地衛星（NAVSTAR）の発信する電波を受信することにより、その受信端末の地球上での位置（経度／緯度）を知るシステムのことである。このＧＰＳ部４７がＧＰＳアンテナ４８を介して受信したＧＰＳ信号（緯度，経度を表す情報）は、制御部２０へ送られる。
【００３３】
バッテリ３４は、例えば着脱可能な二次電池であり、パワーマネージメントＩＣ３３は、バッテリ３４からの電力を各部に必要な値に変換して供給する。
【００３４】
外部メモリインターフェイス（Ｉ／Ｆ）４９は、例えば着脱可能な外部メモリが本実施形態の携帯電話端末の図示しないメモリスロットに装填されているとき、当該外部メモリへのデータの書き込み／読み出し等を行う。
【００３５】
音声処理部４３は、テレビジョン放送受信部２３が受信したテレビジョン音声信号、ラジオ放送受信部２６が受信したラジオ音声信号の再生処理や、内蔵メモリ或いは外部メモリインターフェース４９を介して接続された外部メモリから読み出された圧縮符号化されている音楽データの伸長復号化等の再生処理の他、制御部２０により設定される各種音質調整値（例えば音量、イコライジングなど）に基づいて、音声や音楽信号等を補正して本体スピーカ４０やイヤホン接続端子４１に接続されたイヤホン等へ出力する処理等を行う。
【００３６】
画像処理部４４は、テレビジョン放送受信部２３が受信したテレビジョン映像信号の再生処理や、内蔵メモリ或いは外部メモリインターフェース４９を介して接続された外部メモリから読み出された圧縮符号化されている映像データの伸長復号化等の再生処理の他、制御部２０により設定される各種画質調整値（例えばホワイトバランス、ブライトネス、コントラスト、ガンマ補正など）に基づいて、映像信号を補正して表示部２９へ出力する。
【００３７】
メモリ３１は、ＲＯＭ（Read Only Memory）とＲＡＭ（Random Access Memory）を含む。ＲＯＭは、ＯＳ（Operating System）、制御部２０が各部を制御するための制御プログラムや各種の初期設定値、フォントデータ、辞書データ、着信音やキー操作音，アラーム音用として予め用意されている報知音のデータ、電子メールの作成や編集等を行うためのアプリケーション用のプログラムコード、画像や音声に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザにより設定される電話帳や電子メールアドレス、写真画像データ、ダウンロードされた写真データや音楽データ、ダウンロードされた着信音，キー操作音，アラーム音用等の報知音データ、文字データや予測変換の候補単語の登録データや予測変換の学習データ、所定のサイトからダウンロードされた各放送局の放送周波数情報、後述する照合用放送周波数テーブル、その他、各種のユーザ設定値等を保存することも可能となされている。ＲＡＭは、制御部２０が各種のデータ処理を行う際の作業領域として、随時データを格納する。
【００３８】
制御部２０は、上述した通話音声データの符号化や復号化、発着信の制御、着信時の報知制御、音声処理部４３や画像処理部４４の制御、後述する本実施形態にかかるアラームに関する各種制御、その他、制御ラインを介して当該携帯電話端末の各構成要素の制御、各種の演算処理を行う。
【００３９】
その他、図１には図示を省略しているが、本実施形態の携帯電話端末は、ブラウザ機能、外部ケーブル用コネクタ、光学レンズや撮像素子等からなり制御部２０による制御の元で静止画や動画の撮影を行うカメラ部などを備えている。
【００４０】
〔アラームの設定と動作のフローチャート〕
本実施形態の携帯電話端末は、テレビジョンやラジオの放送音声をアラーム音として設定可能となされており、図２に示すフローチャートを参照しながら、放送音声がアラーム音として設定された場合の制御部２０の動作の流れを説明する。
【００４１】
この図２に示すフローチャートにおいて、操作部３０を介し、ユーザにより、所望のテレビジョン放送局或いは所望のラジオ放送局の放送音声をアラーム音声に設定するための選局（つまり放送周波数の設定）と、メモリ３１に記憶されている複数の報知音（以下、メモリ蓄積音声と呼ぶことにする）の何れかをアラーム音声に設定する指示とがなされ、さらに、上記アラーム音声を出力すべき時間（以下、アラーム設定時間とする）の指示がなされると、本実施形態の携帯電話端末の制御部２０は、ステップＳ１０の処理として、上記選局とメモリ蓄積音声の設定情報及びアラーム設定時間情報を、メモリ３１の書き換え可能なＲＯＭに記憶させる。
【００４２】
なお、本実施形態の携帯電話端末において、上記アラーム音声に設定される放送音声の放送周波数やメモリ蓄積音声は、初期設定値として予め決められていても良い。
【００４３】
また、本実施形態の携帯電話端末において、ユーザが任意のアラーム音声を設定する際には、実際に放送信号を受信して再生している状態の放送音声やメモリ３１から読み出して再生したメモリ蓄積音声を、本体スピーカ４０等から出力した状態での設定も可能となされている。なお、メモリ蓄積音声が例えば無音であった場合は、そのメモリ蓄積音声をアラーム音声に設定できないようにすることが望ましい。
【００４４】
さらに、本実施形態において、ユーザにより設定される放送周波数やアラーム設定時間は、それぞれ一つに限定されず複数であっても良い。そして、一つのアラーム設定時間に対して複数の放送周波数やメモリ蓄積音声が設定される場合には、それら各放送周波数やメモリ蓄積音声に優先順位を設定することも可能となされている。なお、一つのアラーム設定時間に対して複数の放送周波数が設定された場合、それら各放送周波数の情報は、後述する照合用放送周波数テーブルとしてメモリ３１内に保持される。
【００４５】
また、本実施形態の携帯電話端末においては、アラーム設定時間になった時に、アラーム音声の出力と同時若しくはそれに代えて、バイブレータ４５を振動させるような設定や予め指定された所定の電話番号への自動発呼を行う設定も可能となされている。したがって、上記バイブレータ４５の振動設定や所定電話番号への自動発呼設定のための指示が、操作部３０の操作を介してユーザによりなされた時、制御部２０は、上記ステップＳ１０にてそれらの設定情報をメモリ３１に記憶させることも行う。
【００４６】
さらに、本実施形態の携帯電話端末において、バイブレータ４５の振動や上記所定電話番号への自動発呼についての設定の際には、例えば、アラーム設定時間になってアラーム音声が出力された状態で、所定時間内にユーザが操作部３０によりアラーム音の停止操作を行わなかった時にのみ、上記バイブレータ４５の振動や所定電話番号への自動発呼の動作を実行するようにさせる設定も可能となっている。
【００４７】
上記ステップＳ１０の処理後、制御部２０は、ステップＳ１１の処理として、時計部３２から供給される時間情報を見ており、上記アラーム設定時間になるまで、当該携帯電話端末における通常の処理を実行する。また、制御部２０は、ステップＳ１１の処理を実行している間、ステップＳ１２の処理として、時計部３２からの時間情報が上記アラーム設定時間の所定時間前（例えば１分前や１秒前）になったか否かを判定しており、当該時計部３２からの時間情報が上記アラーム設定時間の所定時間前になったとき、ステップＳ１３へ処理を進める。
【００４８】
ステップＳ１３の処理に移行すると、制御部２０は、パワーマネージメントＩＣ３３から供給されているバッテリ３４の残容量情報を見ることにより、上記バッテリ３４の容量がテレビジョン放送受信部２３やラジオ放送受信部２６にて放送電波を受信して信号の復調を行うための電力を供給するのに充分な所定容量以上残っているか否かを判定し、バッテリ３４に充分な容量が残っているときにはステップＳ１４以降へ処理を進め、一方、バッテリ３４の残容量が所定容量未満であるとき（充分な容量が残っていないとき）にはステップＳ３４以降へ処理を進める。
【００４９】
上記バッテリ３４の残容量が充分有り、ステップＳ１４の処理に進んだ場合、制御部２０は、ステップＳ１０において選局設定がなされている放送周波数に、テレビジョン放送受信部２３或いはラジオ放送受信部２６の受信周波数を設定して受信動作を開始させる。
【００５０】
なお、テレビジョン放送の放送音声がアラーム音声に設定されている場合、省電力化のため、テレビジョン放送受信部２３ではテレビジョン放送信号のうちの音声信号のみを復調するようなことが望ましい。もちろん、この場合、表示部２９もＯＦＦして省電力化する。
【００５１】
また、一つのアラーム設定時間に対して複数の放送周波数が設定され、それら複数の放送周波数に優先順位が設定されている場合、制御部２０は、優先順位が上位に設定されている放送周波数を受信するように、テレビジョン放送受信部２３或いはラジオ放送受信部２６の受信周波数を設定して受信動作を開始させる。
【００５２】
次に、制御部２０は、ステップＳ１５へ処理を進め、ステップＳ１４にてテレビジョン放送受信部２３或いはラジオ放送受信部２６での受信開始動作により、放送音声を得ることができたか否かの判定を行う。そして、制御部２０は、放送音声を得ることができた場合にはステップＳ１６へ処理を進め、一方、テレビジョン放送受信部２３或いはラジオ放送受信部２６にて上記放送周波数の放送電波そのものを受信できなかったために放送音声の信号を得ることができなかった場合、或いは、放送電波を受信することはできたがその受信信号から放送音声を得ることはできなかった場合（放送音声が無音である場合）には、ステップＳ３０へ処理を進める。
【００５３】
なお、本実施形態の携帯電話端末において、制御部２０は、ＣＷ検出回路５１或いはＣＷ検出回路５３でＣＷ検出を行えなかった旨の情報が、テレビジョン放送受信部２３或いはラジオ放送受信部２６から送られてきたとき、上記放送周波数の放送電波そのものを受信できなかったために放送音声を得ることができなかったと判断する。また、制御部２０は、無音検出回路５２或いは無音検出回路５４で無音が検出された旨の情報が、テレビジョン放送受信部２３或いはラジオ放送受信部２６から送られてきたとき、上記放送周波数の放送電波を受信することはできたが放送音声を得ることができなかった（放送音声が無音であった）と判断する。
【００５４】
ステップＳ１５にて放送音声を得ることができたと判断し、ステップＳ１６の処理に進むと、制御部２０は、本体スピーカ４０から音を出力できるように当該携帯電話端末の設定がなされているかどうかを判断する。そして、制御部２０は、本体スピーカ４０から音を出力できる設定になっている場合には、ステップＳ１８へ処理を進め、一方、例えばいわゆるマナーモードに設定されていることで本体スピーカ４０から音が出力されない設定になっていたり、イヤホン接続端子４１にイヤホンが接続されていることで本体スピーカ４０から音が出力されない状態となっている場合には、ステップＳ１７へ処理を進める。
【００５５】
ステップＳ１７の処理に進むと、制御部２０は、本体スピーカ４０から音出力ができるように当該携帯電話端末の設定を変更し、ステップＳ１８へ処理を進める。
【００５６】
ステップＳ１８の処理に進むと、制御部２０は、アラーム設定時間になった時に、上記放送音声を本体スピーカ４０から出力させ、ステップＳ１５へ処理を戻す。
【００５７】
以上のように、本実施形態の携帯電話端末においては、テレビジョン放送或いはラジオ放送の放送音声を、アラーム設定時間になった時に本体スピーカ４０から出力することができる。
【００５８】
なお、本実施形態の場合、上述のように、例えばマナーモードになされていたとしても、アラーム設定時間にはアラーム音声が出力されることになる。しかしながら例えば、外部へアラーム音声が出力されると困るような状況も考えられる。このため、アラーム設定時間になってもアラーム音声を本体スピーカ４０から出力しないモードを別途設けるようにしても良い。
【００５９】
また、本実施形態の携帯電話端末において、アラーム設定時間になった時に、アラーム音声の出力と同時にバイブレータ４５を振動させる設定がなされていたり、所定の電話番号への自動発呼を行う設定がなされている場合、制御部２０は、上記ステップＳ１８において、本体スピーカ４０から放送音声の出力と同時に、バイブレータ４５を振動させる制御を行ったり、通信回路２１を介して所定の電話番号へ発呼する制御を行う。
【００６０】
また、アラーム設定時間になってアラーム音声が出力された状態で、所定時間内にユーザが操作部３０によりアラーム音の停止操作を行わなかった時にのみ、上記バイブレータ４５の振動や所定電話番号への自動発呼の動作を実行するようにさせる設定がなされている場合、制御部２０は、アラーム音声の出力開始後、時計部３２からの時間情報により所定時間の経過を見ると共に、操作部３０からの停止操作がなされたか否かを判断し、所定時間経過前に停止操作がなされなかった時には、上記バイブレータ４５の振動や所定電話番号への自動発呼の動作を実行する制御を行う。
【００６１】
また、一つのアラーム設定時間に対して複数の放送周波数が設定されている場合において、制御部２０は、アラーム音声の出力が停止されるまでの間、それら各放送周波数を一定時間毎に順番若しくはランダムに切り替えるような制御を行っても良い。
【００６２】
さらに、放送音声のアラーム音声を出力中に放送電波を受信できなくなることも想定できるため、その場合は、バイブレータと併用するか無音になった時点でプリセットのアラーム音へ切り替えても良い。
【００６３】
その他、制御部２０は、アラーム音声として出力する放送音声の音量を、最初は小さくし、その後徐々に大きくするような制御を行っても良い。
【００６４】
このように、本実施形態の携帯電話端末によれば、アラーム音声と同時若しくはそれとは別にバイブレータ４５を振動させることができるため、例えば、ユーザが寝間着のポケットに携帯電話端末を入れて寝てしまい、ユーザからアラーム音声が聞こえ難い状態になっていたとしても、上記アラーム設定時間になったことをユーザに確実に知らせることができる。また、本実施形態において、上記自動発呼する所定電話番号を例えば自宅の固定電話の番号に設定しておけば、アラーム音声と同時若しくはそれとは別に自宅の固定電話機の着信音が鳴り響くことになるため、ユーザから携帯電話端末のアラーム音声が聞こえ難い状態になっていたとしても、アラーム設定時間になったことをユーザに確実に知らせることができる。
【００６５】
ステップＳ１５に説明を戻し、当該ステップＳ１５にて放送音声を得ることができずにステップＳ３０の処理に進むと、制御部２０は、ステップＳ１５にて放送音声が得られなかった時には他の放送周波数から放送音声を得るためのサーチを行う設定がなされているか否かの判断を行う。つまり、制御部２０は、メモリ３１の照合用放送周波数テーブル内に、一つのアラーム設定時間に対して複数の放送周波数が登録されているかどうかを見ることにより、他の放送周波数のサーチが可能か否か判断する。そして、制御部２０は、当該ステップＳ３０において、他の放送周波数をサーチする旨の設定がなされていないと判断した時にはステップＳ３４へ処理を進め、一方、他の放送周波数をサーチする旨の設定がなされていると判断した時にはステップＳ３１へ処理を進める。
【００６６】
ステップＳ３１の処理に進むと、制御部２０は、メモリ３１の照合用放送周波数テーブルを参照し、このアラーム設定時間に対応付けられている他の放送周波数の放送信号を受信するように、テレビジョン放送受信部２３或いはラジオ放送受信部２６に選局サーチ動作を行わせる。なお、照合用放送周波数テーブルに登録されている各放送周波数に予め優先順位が付けられている場合、制御部２０は、その優先順位の順番に放送周波数の切り替え制御を行うが、例えば優先順位が付けられていない場合にはランダムに放送周波数の切り替えを行っても良いし、各放送周波数の放送信号強度が大きいものから順に切り替えを行っても良い。
【００６７】
次に、制御部２０は、ステップＳ３２へ処理を進め、ステップＳ３１にて切り替えられた放送周波数について、前述のステップＳ１５の処理と同様、テレビジョン放送受信部２３或いはラジオ放送受信部２６での受信開始動作により、放送音声を得ることができたか否かの判定を行う。そして、制御部２０は、放送音声を得ることができた場合には前述のステップＳ１６以降へ処理を進める。
【００６８】
このように、本実施形態の携帯電話端末によれば、上述したような他の放送周波数のサーチにより放送音声を得ることができるようになされているため、例えば、テレビジョン放送やラジオ放送の放送周波数が居住県のものとは異なっている他県や他の地域等へユーザが移動した場合であっても、確実に放送音声によるアラーム音声を出力することができる。
【００６９】
一方、メモリ３１の照合用放送周波数テーブルに登録されている全ての放送周波数についてステップＳ３３にてサーチしたのにもかかわらず、ステップＳ３２にて放送音声の信号を得ることができなかった場合、制御部２０は、ステップＳ３４へ処理を進める。
【００７０】
ステップＳ３４の処理に進むと、制御部３４は、前述のステップＳ１６での処理と同様、本体スピーカ４０から音を出力できるように当該携帯電話端末の設定がなされているかどうかを判断する。そして、制御部２０は、本体スピーカ４０から音を出力できる設定になっている場合には、ステップＳ３６へ処理を進め、一方、本体スピーカ４０から音が出力されない設定等になっている場合には、ステップＳ３５へ処理を進める。
【００７１】
ステップＳ３５の処理に進むと、制御部２０は、本体スピーカ４０から音出力ができるように当該携帯電話端末の設定を変更し、ステップＳ３６へ処理を進める。
【００７２】
ステップＳ３６の処理に進むと、制御部２０は、アラーム設定時間になった時、アラーム音声に設定されているメモリ蓄積音声データをメモリ３１から読み出し、そのメモリ蓄積音声データから再生したメモリ蓄積音声を、本体スピーカ４０から出力させる。
【００７３】
このように、本実施形態の携帯電話端末によれば、放送電波を受信できなくなったり、放送電波を受信できていても音声信号が無かった場合であっても、アラーム設定時間になった時にメモリ蓄積音声データによるアラーム音声を本体スピーカ４０から出力させることができるため、確実にユーザに対してアラーム設定時間になったことを知らせることができる。
【００７４】
また、本実施形態の携帯電話端末においては、ステップＳ１３にてバッテリ残容量が充分に無いと判断された場合にも、メモリ蓄積音声をアラーム音声に設定するようになされているため、テレビジョン放送受信部２３やラジオ放送受信部２６における復調処理のような消費電力の大きな処理を行わないで済み、バッテリ切れになってアラーム設定時間の報知がなされなくなってしまう状態を防ぐことができる。もちろん、ステップＳ１３にてバッテリ残容量が充分に無いと判断された場合には、バイブレータ４５の振動を行う旨の設定がなされている場合であっても、省電力化のために、ステップＳ３６にてバイブレータ４５を振動させる動作は行わないことが望ましい。
【００７５】
なお、このように、メモリ蓄積音声データをアラーム音声として出力する場合も前述同様に、特に外部へアラーム音声が出力されると困るような状況に対応できるようにするために、アラーム設定時間になってもアラーム音声を本体スピーカ４０から出力しないモードを別途設けても良い。
【００７６】
また、本実施形態の携帯電話端末では、アラーム音声としてメモリ蓄積音声を出力する場合にも前述同様に、アラーム音声の出力と同時にバイブレータ４５を振動させる設定がなされていたり、所定の電話番号への自動発呼を行う設定がなされているとき、上記ステップＳ３６において、制御部２０は、本体スピーカ４０からメモリ蓄積音声の出力と同時に、バイブレータ４５を振動させる制御を行ったり、通信回路２１を介して所定の電話番号へ発呼する制御を行う。
【００７７】
また、アラーム設定時間になってアラーム音声が出力されている状態で、所定時間内にユーザが操作部３０によりアラーム音の停止操作を行わなかった時にのみ、上記バイブレータ４５の振動や所定電話番号への自動発呼の動作を実行するようにさせる設定がなされている場合も前述同様であり、制御部２０は、メモリ蓄積音声によるアラーム音声の出力開始後、所定時間経過前に停止操作がなされなかった時には、上記バイブレータ４５の振動や所定電話番号への自動発呼の動作を実行する制御を行う。
【００７８】
また、一つのアラーム設定時間に対して複数のメモリ蓄積音声が設定されている場合においても前述同様に、制御部２０は、アラーム音声の出力が停止されるまでの間、それら各メモリ蓄積音声を一定時間毎に順番若しくはランダムに切り替えるような制御を行っても良い。
【００７９】
その他、制御部２０は、アラーム音声として出力するメモリ蓄積音声の音量を、最初は小さくし、その後徐々に大きくするような制御を行っても良い。
【００８０】
このように、本実施形態の携帯電話端末によれば、アラーム音声と同時若しくはそれとは別にバイブレータ４５を振動させたり、所定の電話番号へ自動発呼を行うことができるため、ユーザからアラーム音声が聞こえ難い状態であったとしても、上記アラーム設定時間になったことをユーザに確実に知らせることができる。
【００８１】
以上説明したように、本実施形態の携帯電話端末においては、テレビジョン放送やラジオ放送の放送音声をアラーム音声にすることができるだけでなく、例えば、予めアラーム設定された放送周波数が存在しない場合や、アラーム設定された放送周波数が存在していてもその放送電波を受信できなくなった場合、放送電波を受信できていたとしても放送音声を得ることができなかった場合、或いは、アラーム音が遮られてしまうような場合であっても、確実にユーザに対してアラーム設定時間になったことを知らせることができる。
【００８２】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８３】
本発明は、携帯電話端末に限定されず、テレビジョン放送やラジオ放送を受信し、その放送音声をアラーム音声に利用する機能を備えた様々な携帯型の電子機器に適用可能である。
【図面の簡単な説明】
【００８４】
【図１】本発明実施形態の携帯電話端末の概略的な内部回路構成を示すブロック図である。
【図２】本実施形態の携帯電話端末において、テレビジョンやラジオの放送音声がアラーム音として設定された場合の制御部の動作の流れを示すフローチャートである。
【符号の説明】
【００８５】
２０  制御部、２１  通信回路、２２  通信アンテナ、２３  テレビジョン放送受信部、２４  テレビジョンアンテナ、２６  ラジオ放送受信部、２７  ラジオアンテナ、２９  表示部、３０  操作部、３１  メモリ、３２  時計部、３３  パワーマネージメントＩＣ、３４  バッテリ、４０  本体スピーカ、４１  イヤホン接続端子、４２  マイクロホン、４３  音声処理部、４４  画像処理部、４５  バイブレータ、４６  ＬＥＤ、４７  ＧＰＳ部、４８  ＧＰＳアンテナ、４９  外部メモリインターフェース、５１，５３  ＣＷ検出回路、５２，５４  無音検出回路
【図１】
2006197509.tif 000003
【図２】
2006197509.tif 000004